(57)【要約】【課題】ゴルフ店舗との業務委託契約に係る移動ゴルフ工房運営者は移動車輌をベースとした移動工房により、所要の修理、ゴルフ用具の販売等による収益を上げることができ、顧客、移動ゴルフ工房運営者、ゴルフショップ等店舗経営者三者ともに極めて有益なゴルフ用具の修理・販売システムを提供することを目的とする。【解決手段】ゴルフショップ等店舗経営者と業務委託契約してなる移動ゴルフ工房運営者はゴルフクラブシャフトの交換、ゴルフクラブヘッドの入れ替え、グリップの取り替え、ライ角・ヘッドバランスの調整等ゴルフ用具の修理をすることのできる設備を備えた移動自在な車輌により企業、商店、ゴルフ練習場、パチンコ店・マーケットの駐車場等に直接出向し、顧客に対して前記ゴルフ用具の修理を行うとともに併せて中古ゴルフクラブシャフト、中古ゴルフクラブ等のゴルフ用具の販売及び中古ゴルフ用具等の下取り・買取りを行う。【選択図】      図１
2004295371.tif 000002
【特許請求の範囲】
【請求項１】
ゴルフショップ等店舗経営者と業務委託契約してなる移動ゴルフ工房運営者はゴルフクラブシャフトの交換、ゴルフクラブヘッドの入れ替え、グリップの取り替え、ライ角・ヘッドバランスの調整等ゴルフ用具の修理をすることのできる設備を備えた移動自在な車輌により企業、商店、ゴルフ練習場、パチンコ店・マーケットの駐車場等に直接出向し、顧客に対して前記ゴルフ用具の修理を行うとともに併せて中古ゴルフクラブシャフト、中古ゴルフクラブ等のゴルフ用具の販売及び中古ゴルフ用具等の下取り・買取りを行うことを特徴とするゴルフ用具の修理・販売システム。
【請求項２】
移動ゴルフ工房運営者はゴルフ用具修理設備を備えた車輌にて顧客に対して直接ゴルフクラブシャフトの交換等ゴルフ用具の修理をするとともに、ゴルフ用具・ゴルフ用品のゴルフショップ等店舗経営者と業務委託契約をし顧客の注文に応じて中古ゴルフクラブシャフト、中古ゴルフクラブ等のゴルフ用具・ゴルフ用品を店舗経営者より預りこれを販売あるいは修理交換に供するとともに、顧客より下取りあるいは買取りした中古ゴルフクラブシャフト、中古ゴルフクラブ等のゴルフ用具を店舗経営者に卸し販売することを特徴とする請求項１記載のゴルフ用具の修理・販売システム。
【請求項３】
ゴルフ用具修理設備を備えた車輌を有する移動ゴルフ工房運営者はゴルフショップ等店舗経営者との業務委託契約に基づき担当エリアを異にし複数存在することを特徴とする請求項１記載のゴルフ用具の修理・販売システム。
【請求項４】
移動ゴルフ工房運営者、該移動ゴルフ工房運営者と業務委託契約をしてなるゴルフショップ等店舗経営者、該ゴルフショップ等店舗経営者とフランチャイズ契約をするとともに前記移動ゴルフ工房運営者に対して中古ゴルフ用具等の査定・在庫情報等移動ゴルフ工房運営に必要な各種情報あるいは広告宣伝業務の代行、修理技術修得制度の設置等開業、営業のためのサポートをする本部を設置してなることを特徴とする請求項１記載のゴルフ用具の修理・販売システム。
【請求項５】
移動ゴルフ工房となる車輌には中古ゴルフクラブシャフト、中古ゴルフクラブ等のゴルフ用具の在庫管理、中古ゴルフクラブシャフト、中古ゴルフクラブ等のゴルフ用具の仕入れ及び販売価格相場、ゴルフ用具、ゴルフ用品に関する商品情報等を管理する本部あるいはゴルフショップ等店舗経営者のサーバーにネットワーク接続し必要に応じて各種情報を取り出すことのできるコンピュータ端末を備えてなることを特徴とする請求項１記載のゴルフ用具の修理・販売システム。
【発明の詳細な説明】
【０００１】
【発明の属する技術分野】
本発明はゴルフクラブシャフトの交換、ゴルフクラブヘッドの入れ替え、グリップの取替え、ライ角・ヘッドバランスの調整等を行うことのできる設備を備えた車輌によりゴルフ用具・ゴルフ用品の修理あるいは中古ゴルフクラブ、中古ゴルフクラブシャフト等のゴルフ用具の販売、下取り・買取り等を行うニュービジネスに関するものであり、所謂移動ゴルフ工房を基にビジネス展開する移動ゴルフ工房運営者と、そしてこの移動ゴルフ工房運営者と業務委託契約をし中古ゴルフクラブシャフト、中古ゴルフクラブ等のゴルフ用品を提供し、かつ移動ゴルフ工房運営者が下取りあるいは買取りした中古ゴルフシャフト、中古ゴルフクラブ等の仕入れを行うことも可能な店舗経営者と、さらにゴルフクラブシャフトの交換あるいは中古ゴルフクラブ用具等の購入、自己の中古クラブを下取り出しを希望する顧客の三者にとって、所謂本部の統括・管理運営の下に極めて効率良く三者共互いに有益なゴルフ用具の修理・販売システムに関する。
【０００２】
【従来の技術】
通常、ゴルファーはシャフトの交換、グリップ・クラブヘッドの交換等自己のゴルフ用具の修理の必要が生じた時にはその都度ゴルフ用具・ゴルフ用品専門店等に出向き所要のゴルフ修理を依頼していた。また中古ゴルフ用具等の購入等に際しても同様にゴルフ用具専門店に出向き所望のゴルフ用具の購入あるいは中古クラブを下取りに出す等その都度足を運んで行っていた。
【０００３】
また近年ゴルフクラブの素材は固定化され不況等の影響ともあいまって、中古ゴルフクラブの需要が一段と増えているが、前述したように顧客は自己のゴルフ用具の修理は勿論のこと中古ゴルフクラブの購入あるいは中古クラブの下取り出しに際してはゴルフショップに直接足を運んでいる。またゴルフショップにあっても顧客の来訪を待って販売あるいは下取りあるいは買取りするという所謂待ちの営業をしていることが通常である。
特にゴルフクラブシャフトにあっては、自己の技量、体力に応じたシャフトであることがゴルフ上達の必須条件であることから体力に応じてのシャフトの交換、玉筋、飛距離の向上等性能アップのためのシャフトの交換重要が近年一段と増えているが、このゴルフシャフトビジネスにあっても顧客とゴルフショップとの間では従前より直接的なビジネスが行われているに過ぎない。
【０００４】
【発明が解決しようとする課題】
しかしながら、シャフト、グリップ、クラブヘッドの交換等にあっては顧客は修理技術者がいるゴルフ用具販売店、デパート等に持参することが通常であり、修理技術者のいない店舗等に持ち込んだ時には出来上がりまで多くの日数を要するばかりか修理費も高額となり、またその店舗が身近なところに存在しない時には持参し修理後持ち帰るわずらわしさから、ついつい自分にあわないクラブの使用を余儀なくされている。
【０００５】
一方、店舗等にあっても顧客からの自主的な来店が条件となることから、所謂待ちの営業とならざるを得ずゴルフクラブシャフト等の修理あるいは中古ゴルフクラブ等ゴルフ用具の購入、中古ゴルフクラブの下取り出し等を希望する潜在的な顧客層が多数いるにもかかわらず、これに対し積極的にアプローチし攻めの営業手法によって収益を上げることは不可能である。
【０００６】
さらにゴルフ用具の修理技術を身につけており、これを生かしつつ何等かの形で例えばゴルフクラブ修理の専門店、中古ゴルフクラブ販売店の開業等中古ゴルフクラブ市場に参入したい希望は持っているもののこれらの店舗の開業には多額な資金を要することから、所持資金が少ない等の理由で手をこまねいている者も多数存在する。
【０００７】
本発明にあっては顧客にとってはゴルフクラブシャフトの交換等ゴルフ用具の修理、中古ゴルフクラブの購入等ゴルフ用具の購入、あるいは中古ゴルフクラブの下取り出し等に際してゴルフ用具専門店、デパート等にわざわざ出向かなくとも自宅あるいは近所にて手軽に高度の修理技術者による所望のゴルフ用具の修理、あるいはゴルフ用具の購入、さらには不要となった中古ゴルフクラブ等ゴルフ用具の下取り出しを行うことができ、一方ゴルフショップ等店舗経営者にあっても待ちの営業によることなく直接出向かなくとも業務委託契約者を介して中古ゴルフクラブ、ゴルフシャフト等ゴルフ用具の販売あるいは中古ゴルフクラブ等の下取り・買取り等を行い収益の向上を図ることができ、またゴルフ店舗との業務委託契約に係る移動ゴルフ工房運営者は少額資本であっても移動車輌をベースとした移動工房により、ゴルフクラブシャフトの交換、ゴルフクラブヘッドの交換、ライ角の調整等顧客のところに直接出向し所要の修理作業、業務委託契約に基づく中古ゴルフクラブ、ゴルフシャフト等ゴルフ用具の販売、さらには中古ゴルフクラブの仕入れ等による収益を効率良く上げることができ、本部の統括・管理運営の下、顧客、ゴルフクラブ修理機能を備えた車輌を有する移動ゴルフ工房運営者、ゴルフショップ等店舗経営者の三者ともに極めて有益なニュービジネスによるゴルフ用具の修理・販売システムを提供することを目的とする。
【０００８】
【課題を解決するための手段】
上記目的を達成するため、本発明のゴルフ用具の修理・販売システムはゴルフショップ等店舗経営者と業務委託契約してなる移動ゴルフ工房運営者はゴルフクラブシャフトの交換、ゴルフクラブヘッドの入れ替え、グリップの取り替え、ライ角・ヘッドバランスの調整等ゴルフ用具の修理をすることのできる設備を備えた移動自在な車輌により企業、商店、ゴルフ練習場、パチンコ店・マーケットの駐車場等に直接出向し、顧客に対して前記ゴルフ用具の修理を行うとともに併せて中古ゴルフクラブシャフト、中古ゴルフクラブ等のゴルフ用具の販売及び中古ゴルフ用具等の下取り・買取りを行うことを特徴とするものである。
【０００９】
また移動ゴルフ工房運営者はゴルフ用具修理設備を備えた車輌にて顧客に対して直接ゴルフクラブシャフトの交換等ゴルフ用具の修理をするとともに、ゴルフ用具・ゴルフ用品のゴルフショップ等店舗経営者と業務委託契約をし顧客の注文に応じて中古ゴルフクラブシャフト、中古ゴルフクラブ等のゴルフ用具・ゴルフ用品を店舗経営者より預りこれを販売あるいは修理交換に供するとともに、顧客より下取りあるいは買取りした中古ゴルフクラブシャフト、中古ゴルフクラブ等のゴルフ用具を店舗経営者に卸し販売することを特徴とするものである。
【００１０】
またゴルフ用具修理設備を備えた車輌を有する移動ゴルフ工房運営者はゴルフショップ等店舗経営者との業務委託契約に基づき担当エリアを異にし複数存在することを特徴とするものである。
【００１１】
また移動ゴルフ工房運営者、該移動ゴルフ工房運営者と業務委託契約をしてなるゴルフショップ等店舗経営者、該ゴルフショップ等店舗経営者とフランチャイズ契約をするとともに前記移動ゴルフ工房運営者に対して中古ゴルフ用具等の査定・在庫情報等移動ゴルフ工房運営に必要な各種情報あるいは広告宣伝業務の代行、修理技術修得制度の設置等開業、営業のためのサポートをする本部を設置してなることを特徴とするものである。
【００１２】
また、移動ゴルフ工房となる車輌には中古ゴルフクラブシャフト、中古ゴルフクラブ等のゴルフ用具の在庫管理、中古ゴルフクラブシャフト、中古ゴルフクラブ等のゴルフ用具の仕入れ及び販売価格相場、ゴルフ用具、ゴルフ用品に関する商品情報等を管理する本部あるいはゴルフショップ等店舗経営者のサーバーにネットワーク接続し必要に応じて各種情報を取り出すことのできるコンピュータ端末を備えてなることを特徴とするものである。
【００１３】
【発明の実施の形態】
図１は本発明のゴルフ用具の修理・販売システムに供されるゴルフ用具の修理設備を備えた車輌を示し、車輌１内にはゴルフクラブのシャフトの交換、ゴルフクラブヘッドの入れ替え、グリップの取り替え、ライ角・ヘッドバランスの調整等を行うことのできる修理用器具２を備えた修理台３、中古ゴルフクラブ、中古クラブシャフト等の販売用ゴルフ用具の載置スペース４、中古ゴルフクラブシャフト、中古ゴルフクラブ等のゴルフ用具の在庫管理、中古ゴルフクラブシャフト、中古ゴルフクラブ等のゴルフ用具の仕入れ及び販売価格相場、ゴルフ用具、ゴルフ用品に関する商品情報等を管理するゴルフショップ等店舗経営者のサーバーにネットワーク接続し必要に応じて各種情報を取り出すことのできるパソコン等のコンピュータ端末５が備えられている。
【００１４】
また修理に際しての使用電源は車内及び車外から導くことができ、その他換気扇等必要な設備を有している。
【００１５】
次にこの車輌をベースとした本発明のゴルフ用具の修理・販売システムにつき述べる。
まず移動ゴルフ工房運営者６はゴルフ用具の修理をすることのできる設備を備えた移動自在な車輌１により訪問日時をあらかじめ宣伝広告をしあるいは不定期にさらには要請に応じて顧客７の家庭に直接、あるいは企業、商店、ゴルフ練習場、マーケット等の駐車場等に出向きゴルフクラブシャフトの交換、クラブヘッドの取り替え等注文に応じて所要のゴルフ用具修理を車輌１内にて行う。
【００１６】
一方修理のみならず、中古ゴルフクラブ等のゴルフ用具の販売もこの車輌１にて業務委託契約に基づくゴルフショップの商品を販売することができ、若し車輌１内に顧客の要望の取替用ゴルフクラブシャフトあるいは中古ゴルフクラブ等のゴルフ用具が存在しない時であっても車輌１内に設置したコンピュータ端末５等を通じて後述する本部９あるいは業務委託契約者であるゴルフショップ等店舗経営者８よりの情報により在庫等を知り予約販売することもできる。
【００１７】
また顧客より中古ゴルフクラブ、中古ゴルフシャフト等のゴルフ用具の下取り・買取りを要請された時にはこれを購入し、移動ゴルフ工房運営者６自身がこれを自己の商品として転売することもできるし、業務委託契約のゴルフショップ等店舗経営者８に卸し販売することもできる。
この時下取り価格が不明なものであってもコンピュータ端末を通じて本部９あるいはゴルフショップ等店舗経営者８のサーバーより相場価格を知り、適正価格で仕入れ及び販売することができる。
【００１８】
一方、移動ゴルフ工房運営者６と業務委託契約を結んでなるゴルフショップ等店舗経営者８は移動ゴルフ工房運営者６に対し交換・修理用のゴルフクラブシャフトあるいは中古ゴルフクラブ等のゴルフ用具を卸すとともに、その販売を委託することができ、店舗への来客を待たずともこの移動ゴルフ工房車輌１を介して攻めの営業展開を図ることができる。
【００１９】
また中古ゴルフクラブシャフト、中古ゴルフクラブの下取りあるいは買取り等による仕入れにあっても顧客の店舗への直接の持ち込みによらずとも顧客７より下取りした移動ゴルフ工房運営者６より適正価格で仕入れすることができ在庫を充分に確保することが可能である。
【００２０】
その他、ゴルフショップ等店舗経営者８はゴルフ用具に関する各種商品情報を移動ゴルフ工房運営者６にコンピュータネットワークを通じて常時提供することにより移動ゴルフ工房運営者６の営業をサポートする。また図２に示すようにゴルフショップ等店舗経営者８は地域を異にする業務委託契約を結ぶことにより複数の移動ゴルフ工房運営者６と連携することも可能である。
【００２１】
また移動ゴルフ工房運営者８、この移動ゴルフ工房運営者と業務委託契約をしてなるゴルフショップ等店舗経営者６は本部９とフランチャイズ契約をし所要の業務契約を締結するとともに、この本部９は移動ゴルフ工房運営者６に対し中古ゴルフ用具等の査定・在庫情報等移動ゴルフ工房運営に必要な情報の提供あるいは広告宣伝業務の代行、修理技術修得制度の設置等、移動ゴルフ工房運営者６の開業、営業のための各種サポートをするものである。
【００２２】
【発明の効果】
しかして本発明によればゴルフショップ等店舗経営者と移動ゴルフ工房運営者の双方を統括・管理運営する本部の下、顧客は中古ゴルフ用具専門店あるいはゴルフ用具修理店に足を運ぶ等の労を要することなく家庭、職場、あるいは自宅近辺でゴルフクラブシャフトの交換、クラブヘッドの取替え等の修理、あるいは中古ゴルフクラブ等ゴルフ用具の購入、さらには不要となった中古ゴルフクラブ等の下取り出しあるいは買い取ってもらうことを極めて容易にしかも適正価格にて行うことができ極めて便宜である。
【００２３】
また移動ゴルフ工房運営者はゴルフ用具の修理設備を備えた車輌を購入しゴルフショップ等店舗経営者と業務委託経営することにより中古ゴルフクラブシャフトの交換、クラブヘッドの取り替え、グリップの交換等の修理による収益及びゴルフショップ等店舗経営者より委託された中古ゴルフクラブシャフト、中古ゴルフクラブ等のゴルフ用品の販売による収益、顧客からのゴルフ用具の下取り・買取りによる収益をあげることができ比較的小資本であってもゴルフ用具修理を兼ねたゴルフショップとほぼ同等若しくはそれ以上の利益を出すことができる。
【００２４】
またゴルフショップ等の店舗経営者も顧客の来店を待ってからの営業という守りの営業ではなく移動ゴルフ工房運営者を介して攻めの営業をすることができ、中古ゴルフクラブ、中古ゴルフシャフト等のゴルフ用具、各種ゴルフ用品の売上げアップを図ることができることは勿論のこと在庫が不足になりがちな中古ゴルフ用具の仕入れを移動ゴルフ工房運営者を介して行うことができ、通常の店舗収益の他に移動ゴルフ工房運営者を介しての多額の収益を上げることができる。
【図面の簡単な説明】
【図１】本発明のゴルフ用具の修理・顧客システムに供される車輌の内部を示す斜視図である。
【図２】本発明のゴルフ用具の修理・顧客システムの概要を示すブロック図である。
【符号の説明】
１  車輌
２  修理用器具
３  修理台
４  顧客用ゴルフ用具の載置スペース
５  コンピュータ端末
６  移動ゴルフ工房運営者
７  顧客
８  ゴルフショップ等店舗経営者
９  本部
【図１】
2004295371.tif 000003
【図２】
2004295371.tif 000004